(57)【要約】【課題】表示領域の周囲に見栄えを良くするための見切り領域を備えた液晶表示パネルにおいて、走査線配線に沿った暗視現象が生じない液晶表示パネルを提供すること。【解決手段】本発明の液晶表示パネル１０は、マトリクス状に配置された複数の信号線及び走査線に囲まれたそれぞれの領域に画素電極が形成された表示領域を備えたアレイ基板１１と、対向電極３１を有する対向基板１２と、前記アレイ基板１１及び対向基板１２の周縁部がシール材３５によってシールされているとともに両基板間に封入された液晶層と、を有する液晶表示パネル１０において、前記アレイ基板１１の表示領域の周囲には層間膜２３上に反射板３７及び透明電極３８を備えた見切り領域３４が形成されているとともに、前記見切り領域３４に対応する箇所の対向電極３１は少なくとも外周側の一部分が設けられていないことを特徴とする。【選択図】図２
2007334024.tif 000002
【特許請求の範囲】
【請求項１】
透光性基板上に、マトリクス状に配置された複数の信号線及び走査線と、前記信号線及
び走査線にそれぞれ接続された走査線配線及び信号線配線と、が設けられているとともに
これらの表面全体に亘って絶縁膜が被覆され、前記複数の信号線及び走査線に囲まれた前
記絶縁膜上のそれぞれの領域に画素電極が形成された表示領域を備えたアレイ基板と、
対向電極を有する対向基板と、
前記アレイ基板及び対向基板の周縁部がシール材によってシールされているとともに両
基板間に封入された液晶層と、
を有する液晶表示パネルにおいて、
前記アレイ基板の表示領域の周囲には反射板を備えた装飾用反射部が形成されていると
ともに、前記装飾用反射部の周縁部が前記シール材によりシールされており、
前記装飾用反射部に対応する位置の前記対向電極は、少なくとも外周側の一部分が設け
られていないことを特徴とする液晶表示パネル。
【請求項２】
前記装飾用反射部の反射板の表面又は背面には透明電極が形成されていることを特徴と
する請求項１に記載の液晶表示パネル。
【請求項３】
前記装飾用反射部の反射板は凹凸構造を有していることを特徴とする請求項１に記載の
液晶表示パネル。
【請求項４】
前記画素電極の表面又は背面に部分的又は全面に凹凸構造を有している反射板が形成さ
れていることを特徴とする請求項１〜３のいずれかに記載の液晶表示パネル。
【発明の詳細な説明】
【技術分野】
【０００１】
本発明は、液晶表示パネルに関し、特に表示領域の周囲に見栄えを良くするための装飾
用の反射部（見切り領域）を備えた液晶表示パネルにおいて、この見切り領域における走
査線配線に沿って線状に暗く見えることがないようにした液晶表示パネルに関する。
【背景技術】
【０００２】
近年、情報通信機器のみならず一般の電気機器においても液晶表示パネルの適用が急速
に普及している。液晶表示パネルは、自ら発光しないために、バックライトを備えた透過
型の液晶表示パネルが多く使用されている。
【０００３】
しかしながら、バックライトの消費電力が大きいために、特に携帯型の機器については
消費電力を減少させるためにバックライトを必要としない反射型の液晶表示パネルが用い
られているが、この反射型液晶表示パネルは、外光を光源として用いるために、暗い室内
などでは見えにくくなってしまう。そこで、近年に至り特に透過型と反射型の機能を兼ね
備えた半透過型の液晶表示パネルの開発が進められてきている。
【０００４】
この半透過型液晶表示パネルは、一つの画素領域内に画素電極を備えた透過部と画素電
極及び反射電極の両方を備えた反射部を有しており、暗い場所においてはバックライトを
点灯して画素領域の透過部を利用して画像を表示し、明るい場所においてはバックライト
を点灯することなく反射部において外光を利用して画像を表示しているため、常時バック
ライトを点灯する必要がなくなるので、消費電力を大幅に低減させることができるという
利点を有している。
【０００５】
ここで、従来の半透過型液晶表示パネルの一具体例を、図４〜図６を用いて説明する。
なお、図４は従来例の片端子型の半透過型液晶表示パネルの模式的な平面図、図５は図４
のアレイ基板の１画素分の平面図、図６は図５のＢ−Ｂ線に沿った模式的な断面図である
。なお、図４においては、本発明の理解のために表示領域の周囲の非表示領域を誇張して
描いてある。また、この明細書における表示領域とは、画素電極が形成されており、画素
電極に印加された電界によって液晶層（液晶分子）が配向制御される平面領域のことであ
り、非表示領域とは画素電極が形成されておらず、液晶層が存在していても配向制御され
ていない平面領域を指すものである。
【０００６】
従来の半透過型液晶表示パネル１０Ａは、液晶層を挟んで互いに対向するアレイ基板１
１及び対向基板１２を備えている。アレイ基板１１は、例えばガラス板からなる透明基板
１３上の表示領域１４にアルミニウムやモリブデン等の金属からなる複数の走査線１７が
等間隔に平行になるように形成されているとともに、複数の走査線１７は走査線配線１７
１よって表示領域１４の周囲の額縁領域１５に設けられたドライバ回路配置部１６に接続
されており、また、隣り合う走査線１７間の略中央に走査線１７と平行になるように補助
容量線１８が形成され、更に走査線１７からＴＦＴのゲート電極Ｇが延設されている。な
お、透明基板１３上には更にコモン配線も設けられているが、図示省略した。
【０００７】
また、透明基板１３の全面に走査線１７、補助容量線１８及びゲート電極Ｇを覆うよう
にして窒化シリコンや酸化シリコンなどからなるゲート絶縁膜１９が積層され、ゲート電
極Ｇの上にゲート絶縁膜１９を介して非晶質シリコンや多結晶シリコンなどからなる半導
体層２０が形成され、また、ゲート絶縁膜１９上にアルミニウムやモリブデン等の金属か
らなる複数の信号線２１が走査線１７と直交するようにして形成されているとともに、複
数の信号線２１は信号線配線２１１によって同じくドライバ回路配置部１６に接続されて
いる。また、この信号線２１から半導体層２０と接触するようにＴＦＴのソース電極Ｓが
延設され、更に、信号線２１及びソース電極Ｓと同一の材料でかつドレイン電極Ｄが同じ
く半導体層２０と接触するようにゲート絶縁膜１９上に設けられている。
【０００８】
ここで、走査線１７と信号線２１とに囲まれた領域が１画素に相当する。そしてゲート
電極Ｇ、ゲート絶縁膜１９、半導体層２０、ソース電極Ｓ、ドレイン電極Ｄによってスイ
ッチング素子となるＴＦＴが構成され、それぞれの画素にこのＴＦＴが形成される。この
場合、ドレイン電極Ｄと補助容量線１８によって各画素の補助容量を形成することになる
。
【０００９】
これらの信号線２１、ＴＦＴ、ゲート絶縁膜１９を覆うようにして透明基板１３の全面
にわたり例えば無機絶縁材料からなる保護絶縁膜（パッシベーション膜ともいわれる）２
２が積層され、この保護絶縁膜２２上に有機絶縁膜からなる層間膜２３（平坦化膜ともい
われる）が透明基板１３の全体にわたり積層されている。そして保護絶縁膜２２と層間膜
２３には、ＴＦＴのドレイン電極Ｄに対応する位置にコンタクトホール２４が形成されて
いる。更に、それぞれの画素において、ＴＦＴ及び補助容量線１８側に部分的に例えばア
ルミニウム金属からなる反射板２７が形成され、反射板２７、コンタクトホール２４及び
層間膜２３の表面に例えばＩＴＯ（Indium Tin Oxide）ないしＩＺＯ（Indium Zinc Oxid
e）からなる画素電極２６が形成され、画素電極２６の表面に全ての画素を覆うように配
向膜（図示せず）が積層されている。
【００１０】
また、対向基板１２は、別途ガラス板からなる透明基板２８の表面に、前記アレイ基板
１１の少なくとも表示領域１４に対応する位置に、それぞれの画素に対応して例えば赤色
（Ｒ）、緑色（Ｇ）、青色（Ｂ）からなるカラーフィルタ層２９が設けられているととも
に、このカラーフィルタ層２９の表面に少なくともアレイ基板１１の反射板２７が設けら
れている領域、すなわち反射部に対応する位置に、トップコート層３０が積層され、更に
トップコート層３０及びカラーフィルタ層２９の表面に対向電極３１及び配向膜（図示せ
ず）が積層されている。このトップコート層３０は、反射部における画素電極２６と対向
電極３１との間の距離（セルギャップ）を反射板２７が設けられていない透過部における
セルギャップの約１／２となるようにし、反射部における色調と透過部における色調が等
しくなるようにするために設けられるものである。なお、カラーフィルタ層２９としては
、更にシアン（Ｃ）、マゼンタ（Ｍ）、黄色（Ｙ）等のカラーフィルタ層を適宜に組み合
わせて使用する場合もあり、モノクロ表示用の場合にはカラーフィルタ層を設けない場合
もある。
【００１１】
そして、このようにして得られたアレイ基板１１及び対向基板１２をそれぞれ対向させ
、周囲をシール材３５によりシールし、アレイ基板１１のコモン配線と対向基板１２の対
向電極とをトランスファ電極（図示せず）を介して電気的に接続し、両基板間に液晶注入
孔（図示せず）から液晶を注入した後、この液晶注入孔を封止することにより、所定の半
透過型液晶表示パネル１０Ａが得られる。
【００１２】
なお、この半透過型液晶表示パネル１０Ａは、アレイ基板１１側に図示しないバックラ
イト装置を配置することにより、暗い場所ではバックライトを点灯して液晶表示パネル１
０Ａを透過した光によって所定の画像を表示し、明るい場所ではバックライトを点灯せず
に外光による反射光を利用して所定の画像を表示するものであるが、画素電極２６の裏面
全体に反射板を設けると反射型液晶表示パネルが得られる。このような半透過型液晶表示
パネルないし反射型液晶表示パネルにおいては、反射板２７を画素電極２６の表面に設け
る場合もあり、また、反射部での反射効率を良好にするとともに、良好な白色表示ができ
るようにするために、反射光が拡散反射光となるようにする目的で反射板２７が設けられ
ている箇所の層間膜２３の表面に凹凸形状を設けることが普通に行われている。
【００１３】
上述のような従来の半透過型液晶表示パネルないし反射型液晶表示パネルは、表示領域
の周囲の非表示領域を遮光性のブラックマスク及び外装カバーによって被覆することによ
り、観察者には主として表示領域のみが視認できるようにしている。例えば、図４に示し
た従来例の半透過型液晶表示パネル１０Ａにおいては、少なくともハッチングを付与した
部分がブラックマスク及び外装カバーによって被覆された非表示領域３３を示し、表示領
域１４のみが観察者から視認できるようになされている。
【００１４】
しかしながら、近年に至り、見栄えを良くするために、表示領域の周囲の非表示領域に
外光を反射する反射部を形成し、この反射部を形成した非表示領域を装飾用として用いた
液晶表示パネルが使用されるようになってきた。このような反射部を形成した非表示領域
を装飾用として用いた半透過型液晶表示パネル１０Ｂは、図７に示したように、非表示領
域のうちブラックマスク及び外装カバーによって被覆された非表示領域３３は観察者から
視認できないようになっているが、反射部を形成した非表示領域３４の部分は観察者から
視認できるようになっている。なお、図７は反射部を形成した非表示領域を装飾用として
用いた半透過型液晶表示パネル１０Ｂの模式的な平面図であり、この場合においても表示
領域の周囲の非表示領域を誇張して描いてある。また、図７においては図４に示した半透
過型液晶表示パネル１０Ａと同一構成部分には同一の参照符号を付与してその詳細な説明
は省略する。
【００１５】
この反射部を形成した非表示領域３４の部分は、画素電極を備えていないために、液晶
分子の配向状態は変化しないが、観察者には、反射部を形成した非表示領域３４に対応す
る対向基板１２に設けられたカラーフィルタ層と同色に見え、通常は表示領域１４に形成
されたカラーフィルタ層と同様のカラーフィルタ層が反射部を形成した非表示領域３４に
も形成されているために、実質的に白色に見える。なお、反射部を形成した非表示領域３
４が良好な白色状態に見えるようにする場合、反射型液晶表示パネルや半透過型液晶表示
パネルのように、表示領域の反射部とほぼ同一の反射表示構造を採用する必要があるため
、反射板の下地の層間膜の表面には凹凸形状が設けられている。なお、以下においては、
このような装飾用として用いられる反射部を形成した非表示領域３４の部分を「見切り領
域」と表現するとともに参照符号として同じ「３４」を付与して説明することとする。
【００１６】
なお、下記特許文献１には、反射型ないし半透過型液晶表示パネルにおける表示領域と
非表示領域との境界近傍において発生するセルギャップの不均一性に基づく表示不良を少
なくする目的で、表示領域の反射部の層間膜の表面に設ける凹凸形状を非表示領域にも設
けるようにしたものが開示されているが、非表示領域の一部を上述のような見切り領域と
することに関する記載はない。
【特許文献１】特開２００３−２２８０４９号公報（特許請求の範囲、段落［０００２］〜［００１２４］、［００４０］〜［００９７］、図１〜図８、図１６）
【発明の開示】
【発明が解決しようとする課題】
【００１７】
上述のような見切り領域３４を有する半透過型液晶表示パネル１０Ｂにおいては、見切
り領域３４は表示状態が変化しないが、表示領域１４の周囲に常に白く見える美的装飾効
果を与えることができるため、見栄えが非常に良くなる。しかしながら、本発明者等によ
る詳細な検討結果によると、上述のような見切り領域３４を有する従来の液晶表示パネル
１０Ｂにおいては、図７の表示領域１４の左右両側に破線で囲んだ部分Ｘにおいて、走査
線配線１７１に沿って線状に暗く見えることが認められた。
【００１８】
発明者等は、このような見切り領域３４を有する液晶表示パネルにおける見切り領域の
走査線配線１７１に沿った暗視現象の生成原因について種々検討を重ねた結果、以下のよ
うな原因に基づくものであることを見出した。すなわち、図７に示した半透過型液晶表示
装置１０ＢのＣ−Ｃ線に沿った額縁領域１５の断面図は、図８に示したとおりである。こ
この額縁領域１５においては、アレイ基板１１側の透明基板１３の表面には複数本の走査
線配線１７１やコモン配線４０等が形成されており、この走査線配線１７１やコモン配線
４０等の表面はゲート絶縁膜１９及び保護絶縁膜２２により被覆され、更に見切り領域３
４においては、保護絶縁膜２２の表面が層間膜２３により被覆されているとともに、適宜
間隔で周縁部のセルギャップを一定に保つための柱状スペーサ３９が配置され、また、ア
レイ基板１１と対向基板１２との周縁部がシール材３５によって密封されている。
【００１９】
このうち、対向基板１２にブラックマスク３６が設けられた領域が非表示領域３３を形
成し、非表示領域３３と表示領域１４との間が見切り領域３４を形成する。この見切り領
域３４は、層間膜２３の表面に凹凸が形成され、この凹凸状態の層間膜２３の表面には例
えばアルミニウム金属等からなる反射板３７が形成され、更に、その表面にはＩＴＯない
しＩＺＯからなる透明電極３８が形成されて、反射板３７及び透明電極３８ともに表面が
凹凸状態となされている。この反射板３７及び透明電極３８は、従来からの静電気保護用
のダミー電極の製造工程との兼ね合いから、図９に示したように、表示領域１４の反射板
３７及び画素電極２６と同ピッチで反射板３７及び透明電極３８が積層された状態で分離
されており、これらの反射板３７及び透明電極３８は電気的には何処にも接続されずにフ
ローティング状態とされている。なお、対向基板１２には、アレイ基板１１の表示領域１
４の各画素電極２６の周囲及び見きり領域３４の各透明電極３８の周囲に対応する位置を
遮光するように、ブラックマトリクスが形成されているが、図８においては図示省略して
ある。また、図９は図７の液晶表示パネル１０Ｂのアレイ基板の左上側の模式的な部分拡
大図である。
【００２０】
従って、本来は、フローティング状態にある透明電極３８には電位は生じないので、透
明電極３８と対向電極３１との間に電位差は生じることがなく、透明電極３８と対向電極
３１との間に存在する液晶分子が動くことがないため、見切り領域３４が走査線配線１７
１に沿って暗く見えるようなことは生じないはずであるが、走査線配線１７１に印加され
る電圧は電圧が高い交流電圧（例えば±１５Ｖ）であるため、走査線配線１７１と対向電
極３１との間に印加されている電圧が分圧されて透明電極３８に電圧が生じ、透明電極３
８と対向電極３１との間に電圧ＶＬＣが印加され、この電圧ＶＬＣによって透明電極３８
と対向電極３１との間の液晶分子の配向状態が変化するために見切り領域３４の走査線配
線１７１に沿って暗く見える現象が生じるものである。なお、信号線配線２１１に印加さ
れる電圧は、走査線配線１７１に印加される電圧に比すると遙かに低いため、見切り領域
３４における液晶分子には実質的に影響を与えることはない。
【００２１】
この透明電極３８と対向電極３１との間に発生する電圧ＶＬＣについて図１０を用いて
説明する。走査線配線１７１と透明電極３８との間の層間膜２３の平均厚さＬ１＝約１．
４５μｍであり、また、層間膜２３として普通に使用されているポリイミドの誘電率ε＝
３．４であって、走査線配線１７１と透明電極３８との間にはこの層間膜２３を誘電体と
するコンデンサＣＳが生じる。また、透明電極３８と対向電極３１との間の平均距離Ｌ２
＝約２．０μｍであり、また、一般的に使用されている液晶層の誘電率Δε＝約７であっ
て、透明電極３８と対向電極３１との間にはこの液晶層を誘電体とするコンデンサＣＬＣ
が生じる。
【００２２】
従って、走査線配線１７１と対向電極３１との間に印加される電圧Ｖ０は、走査線配線
１７１と透明電極３８との間に生じるコンデンサＣｓと透明電極３８と対向電極３１との
間に生じるコンデンサＣＬＣとの直列回路で分圧され、透明電極３８と対向電極３１との
間には下記式（１）で表される電圧ＶＬＣが印加されることとなる。一例として、走査線
配線１７１と対向電極３１との間に印加される電圧Ｖ０が１５Ｖの場合、ＶＬＣは約６Ｖ
となる。
【数１】
2007334024.tif 000003
【００２３】
発明者等は、このような原因に基づく見切り領域３４の走査線配線１７１に沿った暗視
現象を解消すべく種々検討を重ねた結果、対向電極３１と透明電極３８との間に電位差が
生じないようにすれば、上述のような見切り領域３４の走査線配線１７１に沿った暗視現
象が生じないようにすることができることを見出しているが、このような構成を採用する
と工数が増えてコストアップにつながるため、直ちには採用し難かった。そこで、発明者
等は更に検討を重ねた結果、見切り領域３４に対応する位置の対向電極３１の少なくとも
外周側、より好ましくは全部が存在しなければ、液晶分子に電界が印加されない状態とな
すことができ、見切り領域３４の走査線配線１７１に沿った暗視現象を無くすことができ
ることを見出し、本発明を完成するに至ったのである。
【００２４】
すなわち、本発明は、表示領域の周囲に見切り領域を備えた液晶表示パネルにおいてこ
の見切り領域における暗視現象が生じないようにした液晶表示パネルを提供することを目
的とする。
【課題を解決するための手段】
【００２５】
上記目的を達成するため、本発明の液晶表示パネルの発明は、
透光性基板上に、マトリクス状に配置された複数の信号線及び走査線と、前記信号線及
び走査線にそれぞれ接続された走査線配線及び信号線配線と、が設けられているとともに
これらの表面全体に亘って絶縁膜が被覆され、前記複数の信号線及び走査線に囲まれた前
記絶縁膜上のそれぞれの領域に画素電極が形成された表示領域を備えたアレイ基板と、
対向電極を有する対向基板と、
前記アレイ基板及び対向基板の周縁部がシール材によってシールされているとともに両
基板間に封入された液晶層と、を有する液晶表示パネルにおいて、
前記アレイ基板の表示領域の周囲には反射板を備えた装飾用反射部が形成されていると
ともに、前記装飾用反射部の周縁部が前記シール材によりシールされており、
前記装飾用反射部に対応する位置の前記対向電極は、少なくとも外周側の一部分が設け
られていないことを特徴とする。
【００２６】
また、本発明は、上記液晶表示パネルにおいて、前記反射板の表面又は背面には透明電
極が形成されていることを特徴とする。
【００２７】
また、本発明は、上記液晶表示パネルにおいて、前記装飾用反射部の反射板は凹凸構造
を有していることを特徴とする。
【００２８】
前記画素電極の表面又は背面に部分的又は全面に凹凸構造を有している反射板が形成され
ていることを特徴とする。
【発明の効果】
【００２９】
本発明は、上述の構成を備えることにより以下のような優れた効果を奏する。すなわち
、本発明の液晶表示パネルによれば、装飾用反射部に対応する位置の対向電極は少なくと
も外周側の一部分が設けられていないため、走査線配線に印加される信号電圧によって液
晶層に印加される電界はなくなるので、従来例のように走査線配線に沿って線状に暗く見
えるようなことがなくなり、反射板による外光の反射を利用した見栄えの良い白く見える
装飾用反射部、すなわち見切り領域を有する液晶表示パネルが得られる。この場合、装飾
用反射部に対応する位置の対向電極の全てを設けないようにすれば、実質的に完全に走査
線配線に印加される信号電圧によって液晶層に印加される電界をなくすことができるが、
外部からの静電気の影響を受け易くなること及び製造時のマスクずれによって表示領域に
対応する対向電極が欠けることがないようにすることを考慮して、装飾用反射部に対応す
る位置の対向電極は少なくとも外周側の一部分を設けないようにした方がよい。
【００３０】
また、本発明の液晶表示パネルによれば、装飾用反射部に対応する位置の対向電極の外
周側の一部分を設けないようにするために新たな特別な製造手段や工程を採用する必要は
ないから、特に工数を増やすことなく容易に良好な装飾効果を奏する見切り領域を有する
液晶表示パネルを得られる。
【００３１】
また、本発明の液晶表示パネルによれば、表示領域内には画素電極が形成されており、
この画素電極は透明電極から形成されているため、装飾用反射部にも透明電極を形成した
方がこの装飾用反射部の構造を表示領域の構造と略同じにすることができるので、表示領
域と装飾用反射部との見栄えの差が小さくなり、更に良好な装飾効果を奏する見切り領域
を有する液晶表示パネルが得られる。
【００３２】
また、本発明の液晶表示パネルによれば、装飾用反射部の反射板は凹凸構造を有してい
るために外部から入射した光は拡散反射光となるので、純粋な白色に見えるようになり、
見栄えの良い装飾効果を奏する液晶表示パネルが得られる。
【００３３】
さらに、本発明の液晶表示パネルによれば、透過型液晶表示パネルのみならず、半透過
型液晶表示パネル及び反射型液晶表示パネルにおいても、白色の見栄えの良い装飾効果を
奏する液晶表示パネルが得られる。
【発明を実施するための最良の形態】
【００３４】
以下、本発明における好適な実施形態を実施例及び図面を参照して説明する。ただし、
以下に示す実施形態は、本発明の技術思想を具体化するための半透過型液晶表示パネルを
例示するものであって、本発明をこの半透過型液晶表示パネルに特定することを意図する
ものではなく、本発明は、透過型液晶表示パネル、反射型液晶表示パネル等、特許請求の
範囲に含まれるその他の実施形態のものにも等しく適応し得るものである。
【実施例１】
【００３５】
実施例の半透過型液晶表示パネル１０を図１及び図２を用いて説明する。なお、図１は
実施例による片端子型の半透過型液晶表示パネルの模式的な平面図であり、図２は図１の
Ａ−Ａ線に沿った断面図である。この実施例の半透過型液晶表示パネル１０におけるアレ
イ基板の表示領域の各画素の構成は、図５及び図６に示した従来例のものと実質的に同様
であるので、従来例のものと同一の構成部分には同一の参照符号を付与し、必要に応じて
図５及び図６を援用して説明することとする。
【００３６】
この実施例１の半透過型液晶表示パネル１０は、液晶層を挟んで互いに対向するアレイ
基板１１及び対向基板１２を備えている。アレイ基板１１は、透明基板１３上に表示領域
１４に複数の走査線１７が等間隔に平行になるように形成されているとともに、複数の走
査線１７は走査線配線１７１よって表示領域１４の周囲の額縁領域１５に設けられたドラ
イバ回路配置部１６に接続されており、また、隣り合う走査線１７間の略中央に走査線１
７と平行になるように補助容量線１８が形成され、更に走査線１７からＴＦＴのゲート電
極Ｇを延設されている。なお、透明基板１３上には更にコモン配線４０も設けられている
。
【００３７】
また、透明基板１３の全面に走査線１７、補助容量線１８、ゲート電極Ｇを覆うように
してゲート絶縁膜１９が積層され、ゲート電極Ｇの上にゲート絶縁膜１９を介して半導体
層２０が形成され、また、ゲート絶縁膜１９上に複数の信号線２１が走査線１７と直交す
るようにして形成されているともに、複数の信号線２１は信号線配線２１１によって同じ
くドライバ回路配置部１６に接続されている。また、この信号線２１から半導体層２０と
接触するようにＴＦＴのソース電極Ｓが延設され、更に、ドレイン電極Ｄが同じく半導体
層２０と接触するようにゲート絶縁膜１９上に設けられている。
【００３８】
ここで、走査線１７と信号線２１とに囲まれた領域が１画素に相当し、それぞれの画素
にこのＴＦＴが形成される。これらの信号線２１、ＴＦＴ、ゲート絶縁膜１９を覆うよう
にして透明基板１３の全面にわたり保護絶縁膜２２が積層され、この保護絶縁膜２２上に
層間膜２３が透明基板１３の全体にわたり積層されている。そして保護絶縁膜２２と層間
膜２３には、ＴＦＴのドレイン電極Ｄに対応する位置にコンタクトホール２４が形成され
ている。更に、それぞれの画素において、ＴＦＴ及び補助容量線１８側に部分的に例えば
アルミニウム金属からなる反射板２７が形成され、反射板２７、コンタクトホール２４及
び層間膜２３の表面に例えばＩＴＯないしＩＺＯからなる画素電極２６が形成され、画素
電極２６の表面に全ての画素を覆うように配向膜（図示せず）が積層されている。なお、
ここでは層間膜２３を透明基板１３の表面全体に亘り積層した例を示したが、この層間膜
を形成しないものもあり、この場合、保護絶縁膜２２にコンタクトホール２４が形成され
、更にその上に反射板２７及び画素電極２６が形成される。
【００３９】
一方、表示領域１４の周囲は額縁領域１５となるが、この額縁領域１５においては、層
間膜２３の表面は、表示領域１４に隣接した周囲には凹凸形状が形成されているが、更に
その周囲の一部は平らな表面とされており、この層間膜２３の少なくとも凹凸形状が形成
された表面には反射板３７及び透明電極３８が一体に積層形成されている。従って、この
実施例のアレイ基板１１の額縁領域１５は、図１に示したように、平面視において表示領
域１４の周囲に反射板３７及び透明電極３８によって被覆された見切り領域３４が形成さ
れ、更にその周囲が非表示領域３３となっている。そして、この反射板３７及び透明電極
３８は、従来からの静電気保護用のダミー電極の製造工程との兼ね合いから、従来例であ
る図９に示したものと同様に、表示領域１４の画素電極２６と同ピッチで反射板３７及び
透明電極３８が積層された状態で分離されており、これらの反射板３７及び透明電極３８
は電気的には何処にも接続されずにフローティング状態とされている。
【００４０】
また、対向基板１２は、別途透明基板２８上に、アレイ基板１１の非表示領域３３に対応
する位置にブラックマスク３６が形成されているとともに、少なくともアレイ基板１１の
表示領域１４の各画素電極２６の周囲を遮光するようにブラックマトリクスが設けられて
いるが、図２においては図示省略した。なお、この実施例１の半透過型液晶表示パネル１
０においては、見切り領域３４に対応する位置には本来ブラックマトリクスを設ける必要
はないが、従来から採用されている製造手段を変える必要がないようにするため、あえて
見切り領域にもブラックマトリクス（図示せず）を設けるようにしている。更に、前記ア
レイ基板１１の少なくとも表示領域１４及び見切り領域３４に対応する位置にそれぞれの
画素に対応してカラーフィルタ層２９が設けられ、また、表示領域１４のカラーフィルタ
層２９の表面の少なくとも反射部に対応する位置に、反射部における色調と透過部におけ
る色調が等しくなるように、反射部のセルギャップが透過部のセルギャップの約１／２と
なるようにするためのトップコート層３０が積層され、更にこのトップコート層３０及び
カラーフィルタ層２９の表面に対向電極３１及び配向膜（図示せず）が積層されている。
更に、この実施例の液晶表示パネル１０においては、図２に示したように、トップコート
層３０は見切り領域３４の全体に亘って設けられているが、対向電極３１は、表示領域１
４から僅かに見切り領域３４に跨る範囲に設けられており、見切り領域の外縁部側には設
けられていない。
【００４１】
そして、このようにして得られたアレイ基板１１及び対向基板１２をそれぞれ対向させ
、適宜セルギャップを一定値に維持するためのリブ３９を配置し、周囲をシール材３５に
よりシールするとともに、別途図示しないトランスファ電極を介して対向電極３１とアレ
イ基板１１に設けられたコモン配線４０を電気的に接続し、更にシール材３５により形成
された液晶注入孔（図示せず）より液晶を注入した後、この液晶注入孔を封止することに
より実施例の半透過型液晶表示パネル１０が得られる。
【００４２】
したがって、実施例の半透過型液晶表示パネル１０においては、見切り領域３４に設け
られた反射板３７及び透明電極３８は電気的には何処にも接続されずにフローティング状
態とされているし、しかも、この反射板３７及び透明電極３８に対向している対向基板１
２部分には対向電極３１が実質的に存在していないから、見切り領域３４に存在している
液晶分子に電界が印加されることはないので、見切り領域３４に存在している液晶分子は
層間膜２３の下部に設けられている走査線配線１７１の電位の影響を受けることがなくな
り、従来例のような見切り領域３４が走査線配線１７１に沿って暗く見えるというような
現象は生じなくなる。したがって、この実施例の半透過型液晶表示パネル１０によれば、
見栄えの良い白色の装飾効果を奏する見切り領域３４を有する半透過型液晶表示パネル１
０が得られる。
【００４３】
なお、対向電極３１は、本来、表示領域１４に対応する位置にのみ設けられていればよ
いものであるが、製造時のマスクずれ等を考慮すると正確に表示領域１４に対応する位置
にのみ設けるようにすることは困難であるし、少なくとも表示領域１４に対応する位置に
は必ず対向電極３１が必要であるため、図２に示したように、対向電極３１を見切り領域
３４の外周側の一部分に設けられないように僅かに見切り領域３４の部分を被覆するよう
に配置することが望ましい。
【００４４】
また、実施例の液晶表示パネル１０によれば、見切り領域３４に対応する位置の対向電
極３１の外周側の一部分を設けないようにするために新たな特別な工程を採用する必要は
ないから、特に工数を増やすことなく、また、特殊な配線を増やすことなく簡単に白色の
装飾効果を奏する見切り領域を有する液晶表示パネルが得られるようになる。
【００４５】
更に、実施例の液晶表示パネル１０によれば、対向基板の見切り領域３４に対応する位
置の周縁部はブラックマスク３６によって被覆されているため、表示領域１４及び見切り
領域３４は良好に外部から視認できるが、見切り領域３４の外周部は外部から視認できな
いようになるため、装飾効果がない見切り領域の外周部は外部から見えなくなるので、反
射板３７による外光の反射を利用した見栄えのよい装飾効果を有する見切り領域３４を有
する液晶表示パネル１０を得ることができる。
【００４６】
また、実施例１においては、対向基板１２の非表示領域３３に対応する部分の内面側を
ブラックマスク３６で被覆して遮光した例を示したが、これに限らず、対向基板１２の外
面側にブラックマスクを設けて遮光するようにしてもよいし、あるいは対向基板１２の外
面側を外装カバーにより遮光するようにしてもよい。しかしながら、対向基板１２のカラ
ーフィルタ層２９の形成時にはブラックマトリクス形成工程が含まれているため、このブ
ラックマトリクス形成時に同時にブラックマスク３６を形成できるため、対向基板１２の
非表示領域３３に対応する部分の内面側をブラックマスク３６で被覆して遮光するように
した方がよく、更には半透過型液晶表示パネル１０の額縁領域の保護のために対向基板１
２の外面側を外装カバーにより遮光することを組み合わせる方がよい。
【００４７】
なお、この実施例の半透過型液晶表示パネル１０においては、見切り領域３４の層間膜
２３の表面に凹凸形状を設けた例を示したが、この凹凸形状をなくして平らにすると鏡面
となってそれなりの装飾効果が得られるが、表示領域１４と見切り領域との境界が目立つ
ので、特殊な効果を期待する以外は凹凸形状を設けて白色となるようにした方が見栄えが
良くなる。
【００４８】
更に、実施例の半透過型液晶表示パネル１０においては少なくとも見切り領域３４に位
置する反射板３７の表面に透明電極３８を形成した例を示したが、本発明の液晶表示パネ
ルにおいては、少なくとも見切り領域３４に反射板３７が存在していれば、透明電極３８
は存在しなくても同様の効果を奏する。この見切り領域３４の反射板３７上に透明電極を
設けない変形例の半透過型液晶表示パネル１０'の図２に対応する断面図を図３に示す。
この図３に示した変形例の液晶表示パネル１０'は、反射板３７の表面に透明電極が存在
していない以外は、図２に示した実施例の液晶表示パネル１０の場合と構成の差異はない
ので、実施例の液晶表示パネル１０と同一構成部分については同一の参照符号を付与して
その詳細な説明は省略する。
【図面の簡単な説明】
【００４９】
【図１】実施例による片端子型の半透過型液晶表示パネルの模式的な平面図である。
【図２】図１のＡ−Ａ線に沿った断面図である。
【図３】変形例による片端子型の半透過型液晶表示パネルの図２に対応する断面図である。
【図４】従来例の片端子型の半透過型液晶表示パネルの模式的な平面図である。
【図５】図４のアレイ基板の１画素分の平面図である。
【図６】図５のＢ−Ｂ線に沿った断面図である。
【図７】反射部を形成した非表示領域を装飾用として用い半透過型液晶表示パネルの模式的な平面図である。
【図８】図７のＣ−Ｃ線に沿った断面図である。
【図９】図７の液晶表示パネルの左上側の模式的な部分拡大図である。
【図１０】透明電極と対向電極との間に発生する電圧ＶＬＣについて説明する等価回路図である。
【符号の説明】
【００５０】
１０、１０'、１０Ａ、１０Ｂ    （半透過型）液晶表示パネル
１１    アレイ基板
１２    対向基板
１３、２８    透明基板
１４    表示領域
１５    額縁領域
１６    ドライバ回路配置部
１７    走査線
１７１    走査線配線
１８    補助容量線
１９    ゲート絶縁膜
２０    半導体層
２１    信号線
２１１    信号線配線
２２    保護絶縁膜
２３    層間膜
２４    コンタクトホール
２６    画素電極
２９    カラーフィルタ層
３０    トップコート層
３１    対向電極
３３    非表示領域
３４    見切り領域（反射部を形成した非表示領域）
３５    シール材
３６    ブラックマスク
３７    反射板
３８    透明電極
３９    柱状スペーサ
【図１】
2007334024.tif 000004
【図２】
2007334024.tif 000005
【図３】
2007334024.tif 000006
【図４】
2007334024.tif 000007
【図５】
2007334024.tif 000008
【図６】
2007334024.tif 000009
【図７】
2007334024.tif 000010
【図８】
2007334024.tif 000011
【図９】
2007334024.tif 000012
【図１０】
2007334024.tif 000013